(57)【特許請求の範囲】
【請求項１】
第１コア部を有する第１コイル部と、
上記第１コア部に交差する第２コア部を有する第２コイル部と、
上記第１コイル部および上記第２コイル部を収容するコイル収容部を有するケース体とを有し、
上記第１コイル部および上記第２コイル部が、上記各コイル部の延伸方向を上記コイル収容部の対角方向に向けて配設されたアンテナコイルにおいて、
上記第１コア部と上記第２コア部とは、互いに嵌り合う嵌合部にて交差し、
上記第１コア部の嵌合部には、上記第２コア部が嵌る間隔で配置される凸片部が上記第１コア部の各側面にそれぞれ設けられ、
上記第２コア部の嵌合部には、上記第１コア部が嵌る間隔で配置される凸片部が上記第２コア部の各側面にそれぞれ設けられる、
ことを特徴とするアンテナコイル。
【請求項２】
前記第１コア部と前記第２コア部との少なくとも一方のコア部は、先端部の側面が先端方向に向かうにつれて、上記コア部の中央側に向かう状態で傾斜することを特徴とする請求項１に記載のアンテナコイル。
【請求項３】
前記第１コイル部と前記第２コイル部とは、互いに直交して配設されていることを特徴とする請求項１または２に記載のアンテナコイル。
【請求項４】
前記第１コイル部および前記第２コイル部の延伸方向と直交する方向にコイル線が巻回され、前記第１コイル部および前記第２コイル部を内側に配設する第３のコイル部を備えることを特徴とする請求項１から３のいずれか１項に記載のアンテナコイル。
【請求項５】
請求項１から４のいずれか１項記載のアンテナコイルは、コイル端子部を除き、全体を樹脂モールドされていることを特徴とするアンテナコイル。
【請求項６】
前記ケース体は、長方形状であることを特徴とする請求項１に記載のアンテナコイル。
【発明の詳細な説明】
【技術分野】
【０００１】
本発明は、例えば自動車のリモートキーレスエントリシステム等に用いられるアンテナコイルに関する。
【背景技術】
【０００２】
自動車等のドアの解錠、施錠およびその他各種動作を行うために、リモートキーレスエントリシステムやスマートエントリシステムが普及している。かかるリモートキーレスエントリシステム等では、ユーザが携帯する送信装置から、所定のコード情報を有する電波を自動車等に設けられている受信装置に向けて送信する。そして、受信装置では、この電波を受信し、自動車等に取り付けられている制御装置で予め記憶されているコード情報と上述の所定のコード情報とが一致する場合に、ドアの解錠および施錠等の動作を行っている。
【０００３】
ここで、上述の受信装置には、３軸方向の電波を受信可能なアンテナコイルを具備するものがある。かかる３軸方向の電波を受信可能なアンテナコイルに関する先行技術としては、例えば特許文献１に開示されている構成がある。
【０００４】
この特許文献１には、十字状に構成されたコイルを、正方形をしたコイル収容部を有するケース体内に収容したものが開示されている。そして、ここに開示されている構成は、十字状に交差する各コイル部の延伸方向が、コイル収容部の各辺に平行に配設される構成となっている。
【０００５】
【特許文献１】ＷＯ２００５／０８８７６７（図１、図５、図６等参照）
【発明の開示】
【発明が解決しようとする課題】
【０００６】
ところで、アンテナコイルの感度を高める方法として、コアの長さを長くしてコアボリュームを大きくしたり、あるいはコイルの巻き数を増やしたり、またはコイル長を長くすることが考えられる。一方、コアの長さを長くしたり、あるいはコイルの巻き数を増やしたり、またはコイル長を長くすることは、アンテナコイルの大型化を招く原因となる。
【０００７】
そこで、本発明は上記の事情に基づきなされたもので、その目的とするところは、アンテナコイルの大型化を招くことなく、コアの長さを長くしたり、あるいはコイルの巻き数を増やし、またはコイル長を長くして、感度の高いアンテナコイルを提供しようとするものである。
【課題を解決するための手段】
【０００８】
上記課題を解決するために、本発明は、第１コア部を有する第１コイル部と、第１コア部に交差する第２コア部を有する第２コイル部と、第１コイル部および第２コイル部を収容するコイル収容部を有するケース体とを有し、第１コイル部および第２コイル部が、各コイル部の延伸方向をコイル収容部の対角方向に向けて配設されたアンテナコイルにおいて、第１コア部と第２コア部とは、互いに嵌り合う嵌合部にて交差し、第１コア部の嵌合部には、第２コア部が嵌る間隔で配置される凸片部が第１コア部の各側面にそれぞれ設けられ、第２コア部の嵌合部には、第１コア部が嵌る間隔で配置される凸片部が第２コア部の各側面にそれぞれ設けられる構成とするものである。
【０００９】
また、他の発明は、上述の発明に加えて更に、第１コア部と第２コア部との少なくとも一方のコア部は、先端部の側面が先端方向に向かうにつれて、コア部の中央側に向かう状態で傾斜する構成とするものである。
【００１０】
このように構成した場合には、さらに、第１コア部および第２コア部の長さを長くすることができるため、コアボリュームをより大きくすることができる。
【００１１】
さらに、他の発明は、第１コア部と第２コア部とは互いに別々の部材として構成され、第１コア部と第２コア部は、第１コイル部と第２コイル部の交差部において、互いに嵌まり合う嵌合部を有する構成とするものである。
【００１２】
このように構成した場合には、さらに、第１コイル部と第２コイル部のコイルの巻き数を増やしたりコイル長を長く設けることができる。
【００１３】
さらに、他の発明は、第１コイル部と第２コイル部とは、互いに直交して配設されている構成とするものである。
【００１４】
このように構成した場合には、第１コイル部と第２コイル部の延伸方向について、互いに均一な感度を有するアンテナを構成することができる。
【００１５】
さらに、他の発明は、第１コイル部および第２コイル部の延伸方向と直交する方向にコイル線が巻回され、第１コイル部および第２コイル部を内側に配設する第３コイル部を備える構成とするものである。
【００１６】
このように構成した場合には、第１コイル部および第２コイル部の延伸方向と直交する方向についても、感度の高いアンテナを構成することができる。
【００１７】
さらに、他の発明は、上述のアンテナコイルを、コイル端子部を除き、全体を樹脂モールドする構成とするものである。
【００１８】
このように構成した場合には、アンテナコイルを外部からの衝撃等に対して保護することができる。
【００１９】
さらに、他の発明は、ケース体を、長方形状とする構成とするものである。
【００２０】
さらに、本発明は、第１コア部を有する第１コイル部と、第１コア部に交差する第２コア部を有する第２コイル部と、第１コイル部および第２コイル部を収容するコイル収容部を有するケース体とを有し、第１コイル部および第２コイル部が、各コイル部の延伸方向をコイル収容部の対角方向に向けて配設されたアンテナコイルにおいて、第１コイル部および第２コイル部の延伸方向と直交する方向にコイル線が巻回される第３のコイル部を有し、第１コイル部および第２コイル部は、第３のコイル部の内側に配設され、第１コア部と第２コア部との少なくとも一方の先端部の側面は、先端方向に向かうにつれて、コア部の中央側に向かう状態で傾斜している構成とするものである。
【００２１】
さらに、本発明は、第１コア部を有する第１コイル部と、第１コア部に直交する第２コア部を有する第２コイル部と、第１コイル部および第２コイル部を収容するコイル収容部を有するケース体とを有し、第１コイル部および第２コイル部が、各コイル部の延伸方向をコイル収容部の対角方向に向けて配設されたアンテナコイルにおいて、第１コア部と第２コア部とは、互いに嵌り合う嵌合部にて直交し、各コイル部の幅Ｗ、コイル収容部の幅Ｋ、鍔部の長さｔに対して、Ｗ＜Ｋ・（２１/２−１）＋２ｔの関係を有する構成とするものである。
【発明の効果】
【００２２】
本発明によると、アンテナコイルの大型化を招くことなく、コアの長さを長くしたり、あるいはコイルの巻き数を増やし、またはコイル長を長くして、感度の高いアンテナコイルを提供することができる。
【図面の簡単な説明】
【００２３】
【図１】本発明の一の実施の形態に係るアンテナコイルの構成を示す平面図である。
【図２】図１のアンテナコイルのコイル線を点線で表わしたアンテナコイルの平面図である。
【図３】図１に示す十字状コイルのコイル長を説明するための図である。
【図４】十字状コイルを、コイルの延伸方向を周壁部に沿わせて配設したときのコイル長を説明するための図である。
【図５】本発明の他の実施の形態の構成を示す平面図である。
【図６】図５の第１コア部または第２コア部の構成を示す側面図である。
【図７】図５の第１コアまたは第２コアの構成を示す平面図である。
【図８】図５の十字状コイルの構成を示す分解斜視図である。
【図９】本発明の実施の形態の変形例を示す図である。
【符号の説明】
【００２４】
１０  …  アンテナコイル
２１１  …  第１コイル部
２１２  …  第２コイル部
３４  …  コイル収容部
３０  …  ケース体
２１１Ａ  …  第１コア部
２１２Ａ  …  第２コア部
２１１Ｂ  …  鍔部
２１２Ｂ  …  鍔部
２１１Ｂ１，２１１Ｂ２  …  側面
２１２Ｂ１，２１２Ｂ２  …  側面
２１１Ｄ，２１２Ｄ  …  嵌合部
【発明を実施するための最良の形態】
【００２５】
以下、本発明の一の実施の形態に係る、アンテナコイル１０について、図１から図４に基づいて説明する。
【００２６】
図１に示すように、アンテナコイル１０は、コイル部２０とケース体３０を有している。コイル部２０は、コイル線２１Ａが巻回されて構成される十字状コイル２１と、コイル線２２Ａが巻回されて構成される周回コイル２２とを備えている。
【００２７】
十字状コイル２１は、第１コイル部２１１と第２コイル部２１２と備え、第１コイル部２１１と第２コイル部２１２とは、互いに中央部において、十字状に交差している。
【００２８】
この実施の形態においては、第１コイル部２１１、第２コイル部２１２および周回コイル２２によりいわゆる３軸コイルが構成される。具体的には、第１コイル部２１１がＸ軸方向のコイルを構成し、第２コイル部２１２がＹ軸方向のコイルを構成する。すなわち、第１コイル部２１１と第２コイル部２１２は、互いに直交して配設されている。そして、周回コイル２２がＺ軸方向のコイルを構成している。したがって、第１コイル部２１１と第２コイル部２１２は、それぞれ、互いに直交するＸＹ方向について高い感度を有し、また、周回コイル２２は、ＸＹ方向に直交するＺ軸方向に高い感度を有する。なお、第１コイル部２１１と第２コイル部２１２は直交しているため、ＸＹ方向に対して、均一な指向性の感度を有することができる。
【００２９】
なお、以下の説明において、第１コイル部２１１と第２コイル部２１２が延伸する方向、すなわちコイル長の長さ方向に沿う面を水平面とし、この水平面に直交する方向を上下方向として説明する。すなわち、図１において、紙面に沿う方向が水平面であり、紙面の表面側が上側（上方）、裏面側が下側（下方）となる。
【００３０】
周回コイル２２は、水平面に沿う方向に十字状コイル２１を囲むようにして配設されている。すなわち、周回コイル２２は、第１コイル部２１１および第２コイル部２１２の延伸方向と直交する方向にコイル線２２Ａが巻き上げられるように巻回される。したがって、第１コイル部２１１および第２コイル部２１２は、周回コイル２２の内側に配設されることになる。ケース体３０は、水平面に対して立設する周壁部３１と水平面に沿って配設される底部３２を有する箱形を呈し、全体として上下方向に扁平した直方体を呈している。底部３２の上方については開口部３３となっている。
【００３１】
周壁部３１は、底部３２を囲むように配設され、周壁部３１の内側は、周壁部３１により四方を囲まれたコイル収容部３４となっている。本実施の形態では、周壁部３１により囲まれたコイル収容部３４は、上方から見た形状が全体として正方形の空間となっている。コイル収容部３４を形成する周壁部３１は、正方形の角部に当たる部位において、丸味を有したコーナ部３１Ａとなっているが、コイル収容部３４は全体として見れば正方形の空間を呈している。このコイル収容部３４には、十字状コイル２１と周回コイル２２が収容される。
【００３２】
周回コイル２２は、周壁部３１の内側面に沿ってコイル線２２Ａが、上下方向と水平方向に幾重にも巻回されて構成されている。周回コイル２２のコイル線２２Ａの一端は接続端子３６Ａに他端は接続端子３６Ｅにそれぞれ接続されている。
【００３３】
周回コイル２２の内側には、十字状コイル２１が配設される十字状コイル収容部３５が形成される。十字状コイル収容部３５は、コイル収容部３４に収容されている状態の周回コイル２２の内周面により形成される空間であり、コイル収容部３４と同様に、上方から見た形状が全体として正方形の空間として形成されている。本実施の形態では、周回コイル２２は、コイル線２２Ａが丸味を有するコーナ部３１Ａに沿って巻回されるため、十字状コイル収容部３５の４つの角隅となるコーナ部３５Ａも丸味を有することになるが、全体として見れば正方形の空間を呈している。
【００３４】
十字状コイル２１は、正方形を呈する十字状コイル収容部３５の対角方向に、第１コイル部２１１と第２コイル部２１２の長手方向、すなわち延伸方向を沿わせて配設されている。すなわち、十字状コイル２１は、第１コイル部２１１と第２コイル部２１２の先端部を４つのコーナ部３５Ａに対向させて配設される。コーナ部３５Ａは、周壁部３１のコーナ部３１Ａの内側に位置するため、十字状コイル２１の第１コイル部２１１と第２コイル部２１２は、その長手方向、すなわち延伸方向がコイル収容部３４の対角方向に沿って配設されていることにもなる。
【００３５】
十字状コイル２１のうち、第１コイル部２１１の巻線２１Ａの一端は接続端子３６Ｂに他端は接続端子３６Ｆに、また第２コイル部２１２の巻線２１Ａの一端は接続端子３６Ｃに他端は接続端子３５Ｇにそれぞれ接続される。なお、接続端子３６Ｄおよび接続端子３６Ｈはダミーの接続端子である。なお、アンテナコイル１０は、接続端子３６Ａ，３６Ｂ，３６Ｃ，３６Ｅ，３６Ｆ，３６Ｇを介して図示外の外部の回路基板等に接続される。
【００３６】
十字状コイル２１１は、図２に示すように、第１コア部２１１Ａと第２コア部２１２Ａから構成される十字状コア部２１３を備える。なお、図２は、アンテナコイル１０の構造を解かりやすくするため、十字状コイル２１を構成するコイル線２１Ａと周回コイル２２を構成するコイル線２２Ａの存在を省略して点線で表わしている。
【００３７】
第１コア部２１１Ａは、第１コイル部２１１のコア部を構成し、第２コア部２１２Ａは、第２コイル部２１２のコア部を構成する。第１コア部２１１Ａの長手方向の両端には第１コア部２１１Ａの先端部となる鍔部２１１Ｂが設けられ、また、第２コア部２１２Ａの長手方向の両端には第２コア部２１２Ａの先端部となる鍔部２１２Ｂが設けられている。十字状コア部２１３は、上下方向に扁平した板状体を呈し、鍔部２１１Ｂと鍔部２１２Ｂの水平面方向の幅は、第１コア部２１１Ａと第２コア部２１２Ａの水平方向の幅よりやや幅広に形成されている。また、第１コア部２１１Ａと第２コア部２１２Ａが交差する交差部２１３Ａも、第１コア部２１１Ａと第２コア部２１２Ａの水平方向の幅よりやや幅広に形成されている。
【００３８】
交差部２１３Ａを挟んで両側に位置する第１コア部２１１Ａのそれぞれには、コイル線２１Ａが巻回される。ここで、コイル線２１Ａは、第１コア部２１１Ａの長手方向に交差する方向に沿って巻回され、それによって第１コイル部２１１が構成される。また、第２コア部２１２Ａについても、交差部２１３Ａを挟んで両側に位置する第２コア部２１２Ａのそれぞれには、コイル線２１Ａが巻回される。ここで、コイル線２１Ａは、第２コア部２１２Ａの長手方向に交差する方向に沿って巻回され、それによって第２コイル部２１２が構成される。
【００３９】
鍔部２１１Ｂと交差部２１３Ａは、これらの間に存在する第１コア部２１１Ａよりも水平面方向にやや幅広に形成されている。そのため、第１コア部２１１Ａに巻かれたコイル線２１Ａは、先端方向において鍔部２１１Ｂにより巻き位置が規定され、また中央側において交差部２１３Ａに巻き位置が規定される。つまり、コイル線２１Ａは、鍔部２１１Ｂにより先端方向に抜けないように巻き位置が規制され、また、交差部２１３Ａにより中央方向にずれないように巻き位置が規制されている。また、第２コア部２１２Ａに巻かれたコイル線２１Ａも、先端方向において鍔部２１２Ｂにより巻き位置が規定され、また中央側において交差部２１３Ａに巻き位置が規定される。つまり、コイル線２１Ａは、鍔部２１２Ｂにより先端方向に抜けないように巻き位置が規制され、また、交差部２１３Ａにより中央方向にずれないように巻き位置が規制されている。
【００４０】
鍔部２１１Ｂは、第１コア部２１１Ａの水平面方向の両側に位置する側面２１１Ｂ１、２１１Ｂ２が、先端側に向かうにつれて互いに間隔を狭めるように構成されている。すなわち、先端方向に向かうに従い、第１コア部２１１Ａの中心方向である内側に傾斜する傾斜面となっている。また、鍔部２１２Ｂについても同様に、側面２１２Ｂ１，２１２Ｂ２が、先端側に向かうにつれて互いに間隔を狭めるように構成されている。すなわち、先端方向に向かうに従い、第２コア部２１２Ａの中心方向である内側に傾斜する傾斜面となっている。
【００４１】
本実施の形態では、鍔部２１１Ｂの側面２１１Ｂ１，２１１Ｂ２は、中心線２１１Ｍ（図２参照）に対して４５度の傾斜となっている。また、鍔部２１２Ｂの側面２１２Ｂ１，２１２Ｂ２についても、中心線２１２Ｍに対して４５度の傾斜となっている。したがって、十字状コイル２１を周回コイル２２の内側となる十字状コイル収容部３５に収容したとき、側面２１１Ｂ１，２１１Ｂ２および側面２１２Ｂ１，２１２Ｂ２は、周回コイル２２の内側の側面に沿う方向に配設されることになる。
【００４２】
以上説明したように、十字状コイル２１０を、第１コイル部２１１と第２コイル部２１２がコイル収容部３４の対角方向に向くように十字状コイル収容部３５に収容することにより、第１コイル部２１１と第２コイル部２１２の延伸方向を周壁部３１に沿わせる向きで配設するのに比べて、第１コア部２１１Ａおよび第２コア部２１２Ａの長さを長く設けることができる。そのため、コアボリュームを大きくすることができ、アンテナコイル１０の感度を高くすることができる。これに加えて、鍔部２１１Ｂの側面２１１Ｂ１，２１１Ｂ２、および鍔部２１２Ｂの側面２１２Ｂ１、２１２Ｂ２を内側に傾斜させることで、第１コア部２１１Ａの先端部である鍔部２１１Ｂと第２コア部２１２Ａの先端部である鍔部２１２Ｂをコーナ部３５Ａ側に一層長く延設することができる。すなわち、第１コア部２１１Ａと第２コア部２１２Ａをより長くすることができ、コアボリュームが大きくなるので、アンテナコイル１０の感度を高くすることができる。さらに、鍔部２１１Ｂと鍔部２１２Ｂの先端部の形状を、コナー部３５Ａの内側の形状に沿う形状にすることで、第１コア部２１１Ａと第２コア部２１２Ａの長さを、十字コイル収容部３５内において、最大限に長く設けることができる。また、第１コイル部２１１と第２コイル部２１２の延伸方向を周壁部３１に沿わせる向きで配設するのに比べて、第１コイル部２１１と第２コイル部２１２のコイル長を長く設けることができるので、アンテナコイル１０の感度を高くすることができる。
【００４３】
また、鍔部２１１Ｂの側面２１１Ｂ１，２１１Ｂ２、および鍔部２１２Ｂの側面２１２Ｂ１、２１２Ｂ２を内側に傾斜させることで、第１コイル部２１１および第２コイル部２１２を周回コイル２２の内側の側面に近接させることができる。このため、第１コイル部２１１と第２コイル部２１２のコイル長を長く設けることができる。また、その結果、コイルの巻き数を増やすことができる。
【００４４】
第１コア部２１１Ａと第２コア部２１２Ａの先端部は、鍔部２１１Ｂおよび鍔部２１２Ｂを設けることなく、第１コア部２１１Ａと第２コア部２１２Ａの先端部の側面が内側に傾斜するように構成してもよい。この場合にも、第１コア部２１１Ａと第２コア部２１２Ａの先端部がコーナ部３５Ａ側により一層長く延設されるため、第１コア部２１１Ａと第２コア部２１２Ａをより長いものとすることができる。
【００４５】
なお、本実施の形態のようにアンテナコイル１０を構成した場合には、コイル線２１Ａが巻回される部位の幅を適切に設定することにより、コイル長の長さを長くすることができる。このことについて、図３および図４を参照しながら説明する。図３および図４は、図２と同様に、コイル線２１Ａ、２２Ｂの存在を省略して点線で示した図となっている。
【００４６】
図３は、上述したように、アンテナコイル１０を第１コイル部２１１、第２コイル部２１２の延伸方向を十字状コイル収容部３５の対角方向に沿わせて配設した状態を示している。一方、図４は、アンテナコイル１０を第１コイル部２１１、第２コイル部２１２の延伸方向を十字状コイル収容部３５の辺部に沿わせて配設した状態を示している。
【００４７】
図３において、第２コイル部２１２の交差部２１３Ａの長さ（第２コイル部２１２の延伸方向の長さ）をＤとし、またコイル線２１Ａが巻回される部位の幅をＷとする。そして、十字状コイル２１（第１コイル部２１１および第２コイル部２１２）が収容される十字状コイル収容部３５の幅をＫとする。このとき、第１コイル部２１１（第２コイル部２１２）のコイル長Ｌ１は、次式（１）で表わされる長さにすることができる。
Ｌ１＝（Ｋ／２）・２１/２−（Ｄ／２＋Ｗ／２）・・・  （１）
【００４８】
一方、図４において、第１コイル部２１１の交差部２１３Ａの長さ（第１コイル部２１１の延伸方向の長さ）をＤとし、コイル線が巻回される部位の幅をＷ、また鍔部２１１Ｂの長さ（第１コイル部２１１の延伸方向の長さ）をｔとする。そして、この第１コイル部２１１および第２コイル部２１２が収容される十字状コイル収容部３５の幅をＫとする。このとき、第１コイル部２１１のコイル長Ｌ２は、次式（２）で表わされる長さにすることができる。
Ｌ２＝（Ｋ／２）−（Ｄ／２＋ｔ）  ・・・  （２）
【００４９】
そして、Ｌ１とＬ２の長さの差は、次式（３）で表わされる。
Ｌ１−Ｌ２＝Ｋ／２・（２１/２−１）−Ｗ／２＋ｔ  ・・・  （３）
【００５０】
したがって、Ｗが次式（４）の範囲内の大きさであれば、十字状コイル２１を、第１コイル部２１１と第２コイル部２１２を十字状コイル収容部３５の辺部に沿わせて配設するよりも、第１コイル部２１１と第２コイル部２１２をそれぞれ、コイル収容部３４の対角方向に向けて収容した方が、第１コイル部２１１と第２コイル部２１２のコイル長を長く取ることができる。
Ｗ＜Ｋ・（２１/２−１）＋２ｔ  ・・・  （４）
【００５１】
また、鍔部２１１Ｂ（鍔部２１２Ｂ）は、側面２１１Ｂ１，２１１Ｂ２（側面２１２Ｂ１、２１２Ｂ２）を傾斜させたとしても、図４に示す場合には、コイル長の長さに影響を与えることがない。
【００５２】
また、図４示す構成において、コイル長を一番長く取れるのは、鍔部２１１Ｂ（２１２Ｂ）を設けない場合である。図４に示す構成において、鍔部２１１Ｂ（２１２Ｂ）を設けないときのコイル長Ｌ２は、（２）式においてｔ＝０であるから、Ｌ２＝（Ｋ／２）−Ｄ／２となる。
【００５３】
これに対し、十字状コイル２１を図３に示すように配設し、（４）式においてｔ＝０として、ＷをＷ＜Ｋ・（２１/２−１）の範囲に設定すれば、鍔部２１１Ｂ（鍔部２１２Ｂ）を設けながら、十字状コイル２１を図４に示すように配設する場合よりも、コイル長を長くすることができる。
【００５４】
次ぎに上述の実施の形態で説明したアンテナコイル１０の他の実施の形態に係るアンテナコイル１１を図５から図８を参照しながら説明する。なお、上述したアンテナコイル１０と同様の部材については同一の符号を付しその説明を省略する。
【００５５】
この実施の形態は、十字状コア部２１３を構成する第１コア部２１１Ａと第２コア部２１２Ａを別々の部材とし、第１コア部２１１Ａの中央部に形成した嵌合部２１１Ｄと第２コア部２１２Ａの中央部に形成した嵌合部２１２Ｄとを互いに嵌合し、十字状コア部２１３として構成したものである。
【００５６】
図５は、第１コア部２１１Ａと第２コア部２１２Ａとを嵌合部２１１Ｄと嵌合部２１２Ｄにおいて嵌合し、十字状コイル２１を完成させ、十字状コイル収容部３５に収容した状態を示している。
【００５７】
また、図６から図８は、嵌合部２１１Ｄと嵌合部２１２Ｄの構成を説明するための図である。図６は、第１コア部２１１Ａ（第２コア部２１２Ａ）の側面図を表わし、図７は、第１コア部２１１Ａ（第２コア部２１２Ａ）を上方から見た平面図を表わしている。また図８は、十字状コイル２１の分解斜視図である。なお、第１コア部材２１１Ａと第２コア部材２１２Ｂは、嵌合部２１１Ｄと嵌合部２１２Ｄを含め同一の構成となっている。したがって、図６および図７は、第１コア部材２１１Ａと第２コア部材２１２Ｂの両方の構成を表わしている。
【００５８】
嵌合部２１１Ｄ（２１２Ｄ）は、上下嵌合部２１Ｅと、水平嵌合部２１Ｆおよび水平被嵌合部２１Ｇとから構成されている。上下嵌合部２１Ｅは、第１コア部２１１Ａ（第２コア部２１２Ａ）の中央部を半分の厚さに凹形に切り欠かれて形成され、切り欠かれた部分を受部２１Ｅ１として、また、残りの部分を被受部２１Ｅ２として構成されている。第１コア部材２１１Ａと第２コア部材２１２Ｂのそれぞれの上下嵌合部２１Ｅは、互いに同じ形状に切り欠かれていて、いわゆる相欠接ぎ部を構成している。
【００５９】
したがって、第１コア部２１１Ａと第２コア部２１２Ａを、互いに直角に交差させるとともに、上下嵌合部２１Ｅにおいて受部２１Ｅ１が向かい合うようにして上下方向に重ね合わせると、一方の上下嵌合部２１Ｅの受部２１Ｅ１に他方の上下嵌合部２１Ｅの被受部２１Ｅ２が嵌り、第１コア部２１１Ａと第２コア部２１２Ａは互いに嵌合することになる。
【００６０】
水平嵌合部２１Ｆは、第１コア部２１１Ａ（第２コア部２１２Ａ）の両側の側面に突設される４つの凸片部２１Ｆ１から構成される。凸片部２１Ｆ１は各側面に、第１コイル部２１１（第２コイル部２１２）の延伸方向に沿って２つずつ設けられている。また、凸片部２１Ｆ１は、第１コア部２１１Ａ（第２コア部２１２Ａ）の上下方向において被受部２１Ｅ２が設けられる側に、第１コア部２１１Ａ（第２コイル部２１２）の厚さの半分の厚さに形成されている。
【００６１】
第１コア部２１１Ａ（第２コア部２１２Ａ）の各側面に２つずつ設けられている凸片部２１Ｆ１の間隔は、水平被嵌合部２１Ｇが隙間無く嵌る間隔に形成されている。すなわち、水平嵌合部２１Ｆは、各側面において２つの凸片部２１１Ｆ１から構成される嵌合部となっている。水平被嵌合部２１Ｇは、第１コイル部２１１（第２コイル部２１２）の延伸方向に沿って上下嵌合部２１Ｅを挟んで２箇所設けられている。
【００６２】
このような水平嵌合部２１Ｆと水平被嵌合部２１Ｇを有する第１コア部２１１Ａと第２コア部２１２Ａを、互いに直角に交差させるとともに、水平嵌合部２１Ｆと水平被嵌合部２１Ｇにおいて水平被嵌合部２１Ｇが設けられる側を対向させて上下方向に重ね合わせる。こうすると、第１コア部２１１Ａの側の水平嵌合部２１Ｆに、第２コア部２１２Ａの側の水平被嵌合部２１Ｇが嵌り、また、第２コア部２１２Ａの側の水平嵌合部２１Ｆに、第１コア部２１１Ａの側の水平被嵌合部２１Ｇが嵌ることになる。これにより第１コア部２１１Ａと第２コア部２１２Ａは、互いに嵌合することになる。
【００６３】
十字状コイル２１は、別々に作成した第１コイル部２１１と第２コイル部２１２を、嵌合部２１１Ｄと嵌合部２１２Ｄにおいて嵌合することにより完成される。すなわち、第１コア部２１１Ａにコイル線２１Ａを巻回して、第１コイル部２１１を作成する。また、第１コア部２１１Ａとは分離した状態の第２コア部２１２Ａにコイル線２１Ａを巻回して、第２コイル部２１２を作成する。そして、このように別々に作成した第１コイル部２１１と第２コイル部２１２を、嵌合部２１１Ｄと２１２Ｄを嵌合して十字状コイル２１として完成させる。
【００６４】
第１コイル部２１１と第２コイル部２１２を別々に作成することにより、第１コア部２１１Ａおよび第２コア部２１２Ａに巻線機によりコイル線２１Ａを巻く作業において、巻線機を第１コア部２１１Ａおよび第２コア部２１２Ａに接近させることができる。これにより、特に、中央側における嵌合部２１１Ｄに極めて近くまでコイル線２１Ａを寄せることができる。そのため、第１コイル部２１１のコイル長を長くすることができ、また巻き数も増やすことができる。第２コイル部材２１２についても同様に、中央側における嵌合部２１２Ｄに極めて近くまでコイル線２１Ａを寄せることができるため、第２コイル部２１２のコイル長を長くすることができ、また巻き数も増やすことができる。
【００６５】
逆に、例えば、第１コア部２１１Ａと第２コア部２１２Ａを嵌合させて十字状にした状態で巻き線作業を行った場合には、第１コア部２１１Ａに対して巻き線作業を行うに際しては、第２コア部２１２Ａが邪魔になり、巻線機を第１コア部２１１Ａに接近させることができない。第２コア部２１２Ａに巻き線作業を行うに際しても、第１コア部２１１Ａが邪魔になり、巻線機を第２コア部２１２Ａに接近させることができない。そのため、特に、嵌合部２１１Ｄ，２１２Ｄの近くまで巻き線を行おうとする際に、第１コア部２１１Ａあるいは第２コア部２１２Ａが巻き線作業の障害になり、嵌合部２１１Ｄ，２１２Ｄにコイル線を十分に寄せて巻き線をすることができない。
【００６６】
嵌合部２１１Ｄと嵌合部２１２Ｄ同士を嵌め合わせる場合、両者に接着剤等を塗布した後に嵌め合わせるようにしても良い。このようにすると嵌合部２１１Ｄと嵌合部２１２Ｄの接合が強固なものとなる。
【００６７】
次に、上述の実施の形態で説明したアンテナコイル１０の構成の変形例であるアンテナコイル１００の構成を図９に示す。なお、上述の実施の形態におけるアンテナコイル１０を構成する部材と同様の機能および構成を有する部材については、同一の図番を付しその説明を省略する。
【００６８】
アンテナコイル１００は、上述の実施の形態においては、コイル収容部３４および十字状コイル収容部３５が正方形であったのに対し、コイル収容部１５０および十字状コイル収容部１６０を長方形に構成している。このとき、アンテナコイル１００は、図９の左右方向の長さが上下方向の長さよりも長く設けられている。そして、十字状コイル１７０を構成する第１コイル１７１と第２コイル部１７２の延伸方向を十字状コイル収容部１６０の対角方向に沿うように配設している。このように構成した場合にも、第１コイル１７１と第２コイル部１７２を十字状コイル収容部１６０の辺部に沿わせて、十字状コイル１７０を配設するのに比べて、コイル長を長く設けることができる。
【００６９】
ところで、上述の各実施の形態およびその変形例のアンテナコイル１０（アンテナコイル１００）は、いずれも３軸コイルの構成が示されているが、Ｚ軸方向のコイルを構成している周回コイル２２を省略し、第１コイル部２１１（１７１）と第２コイル部２１２（１７２）から構成されるＸ−Ｙ方向についての２軸コイルとして構成してもよい。
【００７０】
また、上述の各実施の形態およびその変形例に示す第１コイル部２１１（１７１）と第２コイル部２１２（１７２）については、長手方向の両側にコイル線２１Ａが巻回されているが、長手方向の半分側だけにコイル線２１Ａを巻回する構成としてもよい。
【００７１】
また、アンテナコイル１０（１００）全体を樹脂でモールドしてもよい。このように構成すると、ケース体３０から十字状コイル２１（１７０）、周回コイル２２等の脱落を防止できたり、アンテナコイル１０（１００）を外部からの衝撃等に対して保護することができる。
【００７２】
また、第１コア部材２１１Ａ、第２コア部材２１２Ａ、第１コイル部１７１を構成するコア部材および第２コイル部１７２を構成するコア部材については、長手方向の中央部を挟んで、両側が同一形状で同一の材質でもよいし、一方の側が、他方の側に対して、長さや幅等を違えた非対称の形状としたり、材質についても各側で違うものを用いるようにしてもよい。
【産業上の利用可能性】
【００７３】
本発明のコイル部品は、電気機器の分野において利用することができる。
【図１】
0004519188.tif 000002
【図２】
0004519188.tif 000003
【図３】
0004519188.tif 000004
【図４】
0004519188.tif 000005
【図５】
0004519188.tif 000006
【図６】
0004519188.tif 000007
【図７】
0004519188.tif 000008
【図８】
0004519188.tif 000009
【図９】
0004519188.tif 000010